(57)【要約】  【課題】梱包容器として梱包を解くに際しての作業性を従来よりも向上させるための技術を提供すること。  【解決手段】単一の梱包用シートにおいて対向する端部それぞれを別のシート状部材とみなし、この一組のシート状部材における少なくとも一部領域同士を表裏方向にそれぞれ重ねた重なり領域を一定長さにわたって糸状部材で縫って連結することにより、前記シート状部材に囲まれた筒状の収容空間を形成するとともに、該収容空間における少なくとも一方の端部が平面状の蓋部で閉じた構造とされており、前記重なり領域において表側にある前記シート状部材のうち、前記蓋部に沿った辺から前記糸状部材による一端側の縫い目に至る所定幅の領域は、該領域をシート状部材の表面側へ離脱可能な離脱部として形成され、該離脱部を前記シート状部材から離脱させることで前記糸状部材における端部側の縫い目が解かれる、ように構成されている。【選択図】図１
2016113202.tif 000002
【特許請求の範囲】
【請求項１】
単一の梱包用シートにおいて対向する端部それぞれを別のシート状部材とみなし、この一組のシート状部材における少なくとも一部領域同士を表裏方向にそれぞれ重ねた重なり領域を一定長さにわたって糸状部材で縫って連結することにより、前記シート状部材に囲まれた筒状の収容空間を形成するとともに、該収容空間における少なくとも一方の端部が平面状の蓋部で閉じた構造とされており、
前記糸状部材による縫い方には、縫われた糸状部材における端部側の縫い目を解くことで一本の糸状部材として抜糸可能となる縫い方が採用されており、
前記重なり領域において表側にある前記シート状部材のうち、前記蓋部に沿った辺から前記糸状部材による一端側の縫い目に至る所定幅の領域は、該領域をシート状部材の表面側へ離脱可能な離脱部として形成され、該離脱部を前記シート状部材から離脱させることで前記糸状部材における端部側の縫い目が解かれる、ように構成されており、
前記重なり領域において表側にある前記シート状部材の離脱部、および、該離脱部の裏側に位置する前記シート状部材の部位である被離脱部は、前記蓋部における平面と直交する方向から見て、該被離脱部において前記蓋部表面に沿った領域が、前記離脱部において前記蓋部表面に沿った領域に対して相対的にオフセットされている
ことを特徴とする梱包容器。
【請求項２】
前記重なり領域において表側にある前記シート状部材の離脱部は、前記蓋部表面と直交する方向から見て、前記蓋部表面に沿った領域が、該蓋部表面を超えない範囲で、該蓋部表面に向けて突出する形状とされている
ことを特徴とする請求項１に記載の梱包容器。
【請求項３】
前記重なり領域において前記離脱部の裏側に位置する前記シート状部材の被離脱部は、前記蓋部表面と直交する方向から見て、前記蓋部表面に沿った領域が、該蓋部表面から離れる方向に切り欠かれた形状とされている
ことを特徴とする請求項１または請求項２に記載の梱包容器。
【発明の詳細な説明】
【技術分野】
【０００１】
本発明は、梱包容器に関する。
【背景技術】
【０００２】
従来から、一枚の梱包用シートを折り曲げて収容空間を形成した梱包容器が知られている（特許文献１参照）。
【先行技術文献】
【特許文献】
【０００３】
【特許文献１】実開平０７−１５５２０号公報
【発明の概要】
【発明が解決しようとする課題】
【０００４】
ただ、上述した梱包容器においては、その組立に際し、梱包用シートにおける連結部分を、テープ、接着剤、連結具（ステープラー）などで連結することが一般的であるため、梱包容器として梱包を解くにあたり、テープや接着剤を剥がしたり、連結具を取り除く必要があるなど、その作業性が悪いという問題があった。
【０００５】
本発明は、このような課題を解決するためになされたものであり、その目的は、梱包容器として梱包を解くに際しての作業性を従来よりも向上させるための技術を提供することである。
【課題を解決するための手段】
【０００６】
上記課題を解決するため第１の構成（請求項１）に係る梱包容器は、単一の梱包用シートにおいて対向する端部それぞれを別のシート状部材とみなし、この一組のシート状部材における少なくとも一部領域同士を表裏方向にそれぞれ重ねた重なり領域を一定長さにわたって糸状部材で縫って連結することにより、前記シート状部材に囲まれた筒状の収容空間を形成するとともに、該収容空間における少なくとも一方の端部が平面状の蓋部で閉じた構造とされており、前記糸状部材による縫い方には、縫われた糸状部材における端部側の縫い目を解くことで一本の糸状部材として抜糸可能となる縫い方が採用されている。
【０００７】
そして、前記重なり領域において表側にある前記シート状部材のうち、前記蓋部に沿った辺から前記糸状部材による一端側の縫い目に至る所定幅の領域は、該領域をシート状部材の表面側へ離脱可能な離脱部として形成され、該離脱部を前記シート状部材から離脱させることで前記糸状部材における端部側の縫い目が解かれる、ように構成されており、前記重なり領域において表側にある前記シート状部材の離脱部、および、該離脱部の裏側に位置する前記シート状部材の部位である被離脱部は、前記蓋部における平面と直交する方向から見て、該被離脱部において前記蓋部表面に沿った領域が、前記離脱部において前記蓋部表面に沿った領域に対して相対的にオフセットされている。
【０００８】
この発明であれば、重なり領域におけるシート状部材から離脱部を離脱させることにより、シート状部材を連結していた糸状部材が抜糸可能となるため、こうして糸状部材を抜糸させるだけで、簡単にシート状部材同士の連結を解除することができる。これにより、梱包容器としての梱包を解くにあたっての作業性を従来よりも向上させることができる。
【０００９】
また、離脱部と被離脱部との相対的なオフセットにより、離脱部を離脱させる際に指が引っかかりやすくなっており、これにより、梱包容器としての梱包を解くにあたっての作業性が高いものとなっている。
【００１０】
また、この離脱部と被離脱部との相対的なオフセットは、どのような構成により実現してもよいが、例えば、以下に示す第２、第３の構成（請求項２，３）を採用または併用することが考えられる。
【００１１】
第２の構成において、前記重なり領域において表側にある前記シート状部材の離脱部は、前記蓋部表面と直交する方向から見て、前記蓋部表面に沿った領域が、該蓋部表面を超えない範囲で、該蓋部表面に向けて突出する形状とされている。
【００１２】
また、第３の構成において、前記重なり領域において前記離脱部の裏側に位置する前記シート状部材の被離脱部は、前記蓋部表面と直交する方向から見て、前記蓋部表面に沿った領域が、該蓋部表面から離れる方向に切り欠かれた形状とされている。
【００１３】
これら構成を採用または併用することにより、離脱部を離脱させる際に指が引っかかりやすくし、梱包容器としての梱包を解くにあたっての作業性を高めることができる。
【図面の簡単な説明】
【００１４】
【図１】梱包容器の全体構造を示す斜視図
【図２】梱包容器における６面図
【図３】梱包容器を構成する梱包用シートを示す図
【図４】梱包容器における梱包を解く手順を示す図
【発明を実施するための形態】
【００１５】
以下に本発明の実施形態を図面と共に説明する。
梱包容器１は、図１に示すように、筒状の収容空間を有するものであり、図２，３に示すように、単一の梱包用シート２において対向する端部それぞれを別のシート状部材１０，２０とみなし、この一組のシート状部材１０，２０における少なくとも一部領域同士を表裏方向にそれぞれ重ねた重なり領域（本実施形態では全面が重なり領域となっている）を一定長さにわたって糸状部材３０で縫って連結することにより、シート状部材１０，２０に囲まれた筒状の収容空間を形成するとともに、この収容空間における端部がそれぞれ平面状の蓋部４０,５０で閉じられた構造とされている。
【００１６】
なお、本実施形態において、梱包用シート２は、立方体の収容空間を形成すべく６つの面（重なり領域となる面を除く）を有するものとして構成された紙製段ボールシートである。
【００１７】
上述した糸状部材３０による縫い方には、縫われた糸状部材３０における端部側の縫い目を解くことで一本の糸状部材として抜糸可能となる縫い方が採用されている。具体的な縫い方としては、上記のように抜糸可能となる方法であればどのような縫い方を採用してもよく、例えば、単環縫いや二重環縫いなどを採用することが考えられる。
【００１８】
また、重なり領域において表側にあるシート状部材１０のうち、上方の蓋部４０に沿った辺から糸状部材３０による一端側の縫い目に至る所定幅の領域は、この領域をシート状部材１０の表面側へ離脱可能な離脱部１１として形成され、この離脱部１１をシート状部材１０から離脱させることで糸状部材３０における端部側の縫い目が解かれる構成とされている。ここでは、シート状部材１０における角を中心とする所定半径の扇型領域として離脱部１１を構成しているが、この離脱部１１となる領域の形状は特に限定されず、例えば、当該角を頂点とする三角形や四角形の領域としてもよいし、それ以外の直線および曲線を組み合わせた形状の領域としてもよい。
【００１９】
本実施形態では、上記「離脱可能」な構成として、離脱部１１に対応する領域をミシン目で区画した構成を採用しており、このミシン目で区画された領域が離脱部１１として離脱可能となっている。より具体的にいえば、離脱部１１を梱包容器１から引き剥がすことにより、この離脱部１１そのものがシート状部材１０から離脱されることとなる。
【００２０】
なお、この「離脱可能」な構成としては、ミシン目で区画する構成の他、糸状部材３０による端部側の縫い目が位置する領域を、他の領域よりも破れやすい素材で形成する、他の領域よりも厚さが薄くなるように形成するなどといった構成を採用してもよい。
【００２１】
また、重なり領域において表側にあるシート状部材１０の離脱部１１、および、離脱部１０の裏側に位置するシート状部材２０の部位である被離脱部２１は、蓋部４０における平面と直交する方向から見て、被離脱部２１において蓋部４０表面に沿った領域が、離脱部１０において蓋部４０表面に沿った領域に対して相対的にオフセットされている。
【００２２】
具体的には、重なり領域において表側にあるシート状部材１０の離脱部１１は、蓋部４０表面と直交する方向から見て、蓋部４０表面に沿った領域が、蓋部４０表面を超えない範囲で、蓋部４０表面に向けて突出する形状とされている。
【００２３】
これに加え、重なり領域において離脱部１０の裏側に位置するシート状部材２０の被離脱部２１は、蓋部４０表面と直交する方向から見て、蓋部４０表面に沿った領域が、蓋部４０表面から離れる方向に切り欠かれた形状とされている。
【００２４】
このように構成された梱包容器１であれば、重なり領域におけるシート状部材１０から離脱部１１を離脱させることにより、シート状部材１０，２０を連結していた糸状部材３０が抜糸可能となるため、こうして糸状部材３０を抜糸させるだけで、簡単にシート状部材１０，２０同士の連結を解除することができる（図４（ａ）→（ｂ））。これにより、梱包容器１としての梱包を解くにあたっての作業性を従来よりも向上させることができる。
【００２５】
また、離脱部１１と被離脱部２１との相対的なオフセットにより、離脱部１１を離脱させる際に指が引っかかりやすくなっており、これにより、梱包容器１としての梱包を解くにあたっての作業性が高いものとなっている。
【符号の説明】
【００２６】
１…梱包容器、２…梱包用シート、１０…シート状部材、１０…離脱部、１１…離脱部、２０…シート状部材、２１…被離脱部、３０…糸状部材、４０…蓋部、５０…蓋部。
【図１】
2016113202.tif 000003
【図２】
2016113202.tif 000004
【図３】
2016113202.tif 000005
【図４】
2016113202.tif 000006